(57)【要約】【課題】ドリルによって、扉錠の近傍に室外側から室内側に貫通して穴が穿孔されないようにすることによって、サムターン回し具によっても、錠ケースの室内側に取り付けてあるサムターンが解錠方向に回動できないようにして、不正解錠できない扉錠を提供すること。【解決手段】ドリルの押圧力により傾いて、ドリルによる穿孔を不可能とするようにしたガード板３０を、錠ケース１の周辺部に設けている。具体的には、例えば、ガード板３０を錠ケース１に一体的に設けるとか、シリンダー１０やサムターン２０や丸座などの錠ケース以外の錠部品に一体的に設けるとか、あるいは扉に一体的に設ける。【選択図】        図２
2004211400.tif 000002
【特許請求の範囲】
【請求項１】
ドリルの押圧力により傾いて、ドリルによる穿孔を不可能とするようにしたガード板を、錠ケースの周辺部に設けたことを特徴とする扉錠。
【請求項２】
ガード板は、錠ケースに一体的に設けてある請求項１記載の扉錠。
【請求項３】
ガード板は、シリンダーやサムターンや丸座などの錠ケース以外の錠部品に一体的に設けてある請求項１記載の扉錠。
【請求項４】
ガード板は、扉に一体的に設けてある請求項１記載の扉錠。
【請求項５】
ガード板の上下左右は錠ケースの上下左右より長く平板状に形成するとともに、該ガード板の左側又は右側には端部から中央部に向けて切欠きを形成し、この切欠き部の上下両端部には水平方向に折曲部を突設し、前記両折曲部間に錠ケースを挟持するようにしてなる請求項１または２に記載の扉錠。
【発明の詳細な説明】
【０００１】
【発明の属する技術分野】
本発明は、錠破りによる不正な解錠を防止できる扉錠に関する。
【０００２】
【発明の背景】
最近、錠破りによる扉錠の不正解錠行為の１つとして、扉錠のシリンダーの近傍または扉錠が取り付けてある扉に、ドリルで穴をあけて、この穴に針金や紐等のサムターン回し具を挿入し、このサムターン回し具で錠ケースの室内側に取り付けてあるサムターンを解錠方向に回動して、デッドボルトを後退して解錠するという、不正解錠行為が知られている。
【０００３】
【従来の技術】
従来、この種の扉錠としては、例えば、いわゆる彫込み式の錠を挙げると、図１７〜図１９に示すようなものが知られている。
図１７で、ａは枠ｂの開口部ｂ１を閉塞するための扉であって、該扉ａは吊元側を枠ｂにヒンジｃで開閉自在に枢支してあるとともに、扉ａの自由端側には扉錠０１の錠ケース０２が周知の如く彫込み部に嵌装してある。すなわち、錠ケース０２は、図１８に示すように、扉の自由端部に形成した切欠き部（彫込み部）ａ５に嵌装して、錠ケース０２の前部に設けたフロント裏板０３及びフロント板０４と、扉ａの裏部に設けた錠取付板０５にねじ０６で固定して取り付けている。
【０００４】
また、図１７で、ａ１〜ａ４は扉ａの框、ｄはガラス、ｅは格子、０７はシリンダー、０８はデッドボルト、０９はラッチボルト、０１０はレバーハンドルである。シリンダー０７の背部（室内）側には図１９に示すようにサムターン０１１が取り付けてある。
【０００５】
図１７〜図１９に例示した彫込み錠とは異なる一般的な彫込み錠は、図示のものと比較して、錠ケース０２の大きさに大小があるとか、レバーハンドル０１０の代りに握り玉が取り付けてあるとか、扉がガラスｄや格子ｅのない金属製の板状のものであるなどの点で異なるものの、基本的な構造は図１７〜図１９のものと殆ど変わらない。それゆえ、本明細書で、従来例の扉錠とは、図１７〜図１９のものに限らず、その他一般的に使用されている周知の扉錠も含む広義のものをいう。
【０００６】
【発明が解決しようとする課題】
しかるに、上記従来例の扉錠によれば、扉錠のシリンダーの近傍または扉のガラスｄ等に、室外側からドリルで穴をあけて、前述したように、前記穴に針金や紐等のサムターン回し具を挿入し、このサムターン回し具で錠ケースの室内側に取り付けてあるサムターンを解錠方向に回動して、デッドボルトを後退して不正解錠してしまうという、問題があった。
【０００７】
本発明は、上記従来の問題を解決しようとするものであり、ドリルによって、扉錠の近傍に扉の室外側から室内側に貫通して穴が穿孔されないようにすることによって、前記サムターン回し具によっても、錠ケースの室内側に取り付けてあるサムターンが解錠方向に回動できないようにして、不正解錠できない扉錠を提供することを目的とする。
【０００８】
【課題を解決するための手段】
上記目的を達成するため、本発明の扉錠は、ドリルの押圧力により傾いて、ドリルによる穿孔を不可能とするようにしたガード板を、錠ケースの周辺部に設けたことを特徴とする（請求項１参照）。
【０００９】
ここで、ガード板を設ける「錠ケースの周辺部」とは、少なくとも室外側からドリル等で穴あけしたと仮定した場合に、その穴部に前記サムターン回し具を挿入して錠ケースの室内側のサムターンを解錠方向に回動することができない範囲を意味する。すなわち、錠ケースの周辺部の範囲は、錠ケースが取り付けられる扉の構造や形状との相対的関係にも絡んでくるのであるが、例えば、図３に示すように、錠ケースを囲む一点鎖線の範囲（イ）、（イ）より広い二点鎖線の範囲（ロ）、（ロ）より広い二点鎖線の範囲（ハ）等の如く、適宜変更できる。この錠ケースの周辺部の範囲は、広いほど好ましい。
【００１０】
ガード板は、錠ケースに一体的に設けることもできる（請求項２参照）。例えば、ガード板としては、錠ケース蓋の上下及び後部を延長して錠ケースと一体としたものでもよい。これによれば、ガード板が錠ケース蓋も兼用しているので、構成部品が少なくなるとともに、ガード板の錠ケースへの組み付けも簡単にできる。
【００１１】
また、ガード板は、錠ケースとは別体であって、該錠ケースに保持するように取り付けることもできる。例えば、１枚のガード板を錠ケースの室内側又は室外側の面に当ててねじ等の締結部材で固定することが挙げられる。これによれば、既存の扉錠の錠ケースの室内側又は室外側の側面に、このガード板を取り付けるだけで、既存の錠ケースにおいても、ドリル等の不正解錠部材による不正解錠が防止できる。
【００１２】
ガード板は、シリンダーやサムターンや丸座などの錠ケース以外の錠部品に一体的に設けることもできる（請求項３参照）。または、ガード板は扉に一体的に設けることもできる（請求項４参照）。
【００１３】
このように、ガード板は、錠ケースや、錠ケース以外の錠部品や、扉に一体的に設けることができる。ここで、「一体的に設ける」とは、前述したことから判るように、ガード板が、前記錠ケース、錠ケース以外の錠部品または扉の構成部品として一体化されている場合、又はガード板は、錠ケース、錠ケース以外の錠部品又は扉とは別体であって、この別体のガード板をそれぞれ錠ケースや錠ケース以外の錠部品や扉に保持するように取り付けている場合を含む。
これらの場合、ガード板が錠ケース又は錠ケース以外の錠部品に設けてあるときには、該錠ケースは扉にフロント板部分のみをネジ止めしているので、ガード板にドリルの先端が当たって押圧されると、該ガード板は前記ネジ止め部を支点に傾いて揺動するため、該ガード板ひいては錠ケースはドリルによって穿孔されることがない。また、ガード板が扉に設けてあるときには、該ガード板はドリルの押圧力により傾いて該ドリルによって穿孔できないように設ける必要がある。
【００１４】
ガード板の形状は、本発明では特に限定しないのであるが、例えば、錠ケースより広い方形状のものでもよいし（図１、図２、図１０、図１１参照）、または方形状の前端部の上下両部に折曲部を形成するとともに、両折曲部間に縦長の切欠き部を形成したものでもよい（図６〜図８参照）。
【００１５】
或いは、ガード板の上下左右は錠ケースの上下左右より長く平板状に形成するとともに、該ガード板の左側又は右側には端部から中央部に向けて切欠きを形成し、この切欠き部の上下両端部には水平方向に折曲部を突設し、前記両折曲部間に錠ケースを挟持するようにすることもできる（請求項５参照）。
これによれば、ガード板の両折曲部間に錠ケースの上下両辺部を挟持することにより、錠ケースをガード板に固定するねじが不要となるなどの利点がある。
【００１６】
【発明の実施の形態１】
本発明の実施の形態の第１例を図１〜図４に基づいて以下に説明する。
図３に示すように、公知の如く、枠ｂの開口部ｂ１を閉塞する扉ａは、吊元側を枠ｂにヒンジｃで開閉自在に枢支してあるとともに、扉錠０１の錠ケース１は、扉ａの自由端側に彫り込んだ彫込み部（切欠き部）ａ５（図１参照）に、図１及び図３において左から右に向けて嵌装される。
【００１７】
錠ケース１は、公知の如く、錠ケース本体１ａと錠ケース蓋１ｂにより構成されるととともに、その前部にはフロント裏板１ｃがかしめなどにより固定してある。このフロント裏板１ｃの前方からフロント板１ｄをネジ（図示せず）で固定してある。また、フロント裏板１ｃ及びフロント板１ｄの上下両端近くにはネジ挿通用の穴２、３が形成されている。そして、図１に示すように、予め扉ａに固着した錠取付板５に、ネジ４でフロント板１ｄ及びフロント裏板１ｃを取り付ける。
【００１８】
前記錠ケース１内には、操作部材を介して、デッドボルト６を前進又は後退させるためのデッドハブやデッドバネ、ラッチボルトを前進又は後退させるためのラッチハブやラッチバネ等の内装部品が内蔵されている。また、錠ケース１には、扉ａの室外側からは、室外側操作部材たるシリンダー１０が、室内側からは室内側操作部材たるサムターン２０が連結して取り付けられる。
なお、図４で４０、４１は開扉時にラッチボルトを後退させるためのハンドル等の操作部材である。図１で、４２はシリンダー１０及びサムターン２０を取り付けるために錠ケース１に設けた取付穴、４３は操作部材たるレバーハンドル４０、４１の操作軸を嵌挿するための貫通穴、４４はレバーハンドル４０、４１に嵌挿された取付座４５（図４参照）に設けた取付柱（図示せず）を嵌挿するための貫通穴である。
【００１９】
以上の構成において、本発明の錠ケース１の周辺部には、ドリルの押圧力により傾いてドリルによる穿孔を不可能とするようにしたガード板３０を設けてなるものである。
【００２０】
すなわち、室外側からドリルで穴あけしたと仮定した場合に、その穴部に錠ケースの室内側に設けたサムターン２０を回動することができる針金や紐等のサムターン回し具（図示せず）を挿入して、同サムターン２０を解錠方向に回動することができない広さ（例えば図３でイの広さ）のガード板３０を製作する。
この広さのガード板３０を、図１及び図２に示すように、錠ケース１の錠ケース蓋１ｂとしても兼用して、錠ケース１と一体に設けている。換言すれば、公知の錠ケース蓋１ｂの上下及び後部を延長してガード板３０としたものである。
【００２１】
この場合、ガード板３０の広さ（面積）は、図３でイの範囲に限定されず、ロの範囲、ハの範囲でもよく、その他適宜広さを選定できるが、扉の形状や構造、ガード板の材料費等を考慮しながら、できるだけ広い方が好ましい。
【００２２】
本実施形態の扉錠によれば、ドリルの押圧力により傾いて、ドリルによる穿孔を不可能とするようにしたガード板を、錠ケースの周辺部に設けているから、ドリルで扉錠又は扉に穴をあけしようとしても、錠ケースは扉にフロント板部分のみがネジ止めしてあるだけなので、少なくともガード板にドリルの先端が当たって押圧されると、少なくともガード板が前記ネジ止め部を支点に傾いて揺動するため、該ガード板ひいては錠ケース又は扉がドリルによって穿孔されることがなく、サムターンをサムターン回し具で回すことができない。
【００２３】
【発明の実施の形態２】
本発明の実施の形態の第２例を図５に基づいて以下に説明する。
この実施形態の扉錠は、ガード板３０が、錠ケース１の室外側（つまりシリンダー１０側）の面に、錠ケース１と一体に設けてなる点に特徴を有するものである。これによれば、ガード板３０は、第１の実施形態のものに比べて、錠ケース１の室外側（つまりシリンダー１０側）の側面に設けてあるので防犯効果からみてより好ましい。
前記ガード板３０以外のデッドボルト６、ラッチボルト７、シリンダー１０、サムターン２０等の錠部品は、図１及び図３のものと同様に構成してあるので、詳しくは図１と図３を参考にするとよい。
【００２４】
【発明の実施の形態３】
本発明の実施の形態の第３例を図６〜図８に基づいて以下に説明する。
この実施形態の扉錠は、ガード板３０は、錠ケース１とは別体であって、該錠ケース１に取り付けるようにしてある点に特徴を有し、扉ａに錠ケース１を錠取付板５を介して固定した点や、扉錠を取り付けた扉ａを枠ｂに枢支した点などは、図１、図３と同様に構成してあり図示を省略してあるので、第１実施形態の説明を参照するとよい。
【００２５】
すなわち、この場合のガード板３０は、図６〜図８に示されているように、１枚の方形状板体で形成するとともに、図６及び図７において左側（前側）の端部の上下両部に折曲部３１、３１を形成し、両折曲部３１、３１間に縦長の切欠き部３２を形成している。また、このガード板３０には、錠ケース１に形成したシリンダー及びサムターン取付穴４２に連通した取付穴５２と、レバーハンドル４０、４１用の操作軸貫通穴４３に連通した貫通穴５３と、取付座４５に設けた取付柱を嵌挿するための貫通穴４４に連通した貫通穴５４が形成されている。
なお、ガード板３０に設けた５２、５３、５４は、錠ケース１に設けた４２、４３、４４より大きくすることが望ましい。
【００２６】
前記ガード板３０を錠ケース１と共に扉ａに組み付ける場合の一例について、以下に説明する。
先ず、ガード板３０の上下折曲部３１、３１間に形成した切欠き部３２内に、図６の左前方から錠ケース１を挿入して図６で右方向へ嵌装する。すると、錠ケース１のフロント裏板１ｃがガード板の折曲部３１、３１に当接して、錠ケース１のシリンダー及びサムターン取付穴４２とガード板３０の取付穴５２とが、操作軸通穴４３と貫通穴５３とが、貫通穴４４と貫通穴５４とがそれぞれ一致し連通状態となる。
【００２７】
そこで、前記状態の錠ケース１つきのガード板３０を、扉の彫込み部ａ５に嵌挿し、錠ケース１のフロント板１ｄ及びフロント裏板１ｃと、ガード板３０の折曲部３１とを、錠取付板５にネジ４で固定する。
その後、周知の如く、シリンダー１０、サムターン２０、レバーハンドル（操作部材）４０、４１等を組み付ければよい。
【００２８】
【発明の実施の形態４】
本発明の実施の形態の第４例を図９に基づいて以下に説明する。
この実施形態の扉錠は、ガード板３０が、前記実施形態３の場合と同様に、錠ケース１とは別体であって、該錠ケース１に取り付けるようにしている点では、両者は共通する。
しかし、この場合、例えば、図７と同様に形成したガード板３０を、錠ケース１の室外側（シリンダー１０側）の面に、図９に示すように取り付けてなるものであり、ガード板３０が錠ケース１の室内側（サムターン２０側）の面に取り付けてなる前記実施形態３のものと異なる。この場合のガード板３０の組み付けは前記実施形態３の場合と同様に行なうとよい。
【００２９】
【発明の実施の形態５】
本発明の実施の形態の第５例を図１０〜図１１に基づいて以下に説明する。
この実施形態のガード板３０は、前記実施形態３の場合と同様に、錠ケース１とは別体であって、該錠ケース１に取り付けるようにしている点で、両者は共通する。
しかし、この場合のガード板３０は、方形状の１枚の平板であって、実施形態３に示すような折曲部３１や切欠き部３２は形成されていず、しかも該ガード板３０を例えば扉の彫込み部ａ５に嵌挿した後に、同扉の彫込み部ａ５に錠ケース１を嵌装して、ガード板３０の各穴と錠ケース１の各穴とを一致させるとともに、扉ａの室内側及び室外側からガード板３０のねじ止め穴３３にねじ（図示せず）を嵌挿して、錠ケース１を扉に固定する。その他の組み付け方については、実施形態３を参照するとよい。
又は、この場合、ガード板３０を、錠ケース１に予めねじ止め穴３３を介してネジ止めし、それからガード板３０付けの錠ケース１を扉に取り付ける方法でもよい。
【００３０】
【発明の実施の形態６】
本発明の実施の形態の第６例を図１２〜図１３に基づいて以下に説明する。
この実施形態のものは、ガード板３０は、錠ケース１とは別体であって、該錠ケース１の側壁に当接して取り付けるようにしてある点では、実施形態の第３例〜第５例と共通する。しかし、この実施形態の第６例のものは、ガード板３０の上下左右は錠ケース１の上下左右より長く平板状に形成するとともに、図１２においてガード板３０の左側には端部から中央部に向けて切欠きを形成し、この切欠き部３５の上下両端部には水平方向に折曲部３６を突設し、前記両折曲部３６、３６間に錠ケース１を挟持するようにしてある点に特徴を有している。
【００３１】
扉錠を扉に組み付ける場合には、前記ガード板３０を例えば扉の彫込み部ａ５（図１２参照）に嵌挿した後に、同彫込み部ａ５に錠ケース１を嵌装すればよい。このとき、錠ケース１は後部からガード板３０の折曲部３６、３６間へ嵌め入れて、錠ケース１のフロント板１ｃ、１ｄをガード板３０の前面に当接し、フロント板部（１ｃ、１ｄ）を錠取付板５を介して扉にネジ４で固定する。従って、この場合は、図１０に示したネジ止め穴３３は不要であって、このネジ止め穴３３へのネジ止めはしないものである。
【００３２】
なお、実施形態の第６例のガード板３０は、切欠き部３５を形成しているが、図１４に示すように、ガード板３０は１枚の無孔の板体で形成して切欠き部３５を無くして、上下両部に折曲部３６、３６を形成したものも実施することができる。
【００３３】
【発明の実施の形態７】
本発明の実施の形態の第７例を図１５ないし図１７（図１７は従来例図であるが、本実施形態では同図も参考にする。）に基づいて以下に説明する。
この実施形態のものは、ガード板３０が、シリンダー１０やサムターン２０あるいはハンドルの丸座２１を介して取り付けられたものである。
【００３４】
【変形例等】
なお、ガード板３０は、扉ａに一体的に設けることもできる（例えば図３のイ、ロ、ハの如し）。
【００３５】
ガード板３０は、実施形態１では、錠ケース１の錠ケース蓋１ｂの側壁を兼用するように一体形成しているが、錠本体１ａの側壁を兼用するようにして一体に形成することもできる。または錠ケース蓋１ｂ又は錠本体１ａの側壁を兼用する部分と、この兼用部分の後端部に折り曲げて連続的に一体形成した延長部とで、平面視において、階段状に形成したものでもよく、その他任意形状とすることができる。
【００３６】
また、実施形態３、５、６のガード板３０は、錠ケース１の錠ケース蓋１ｂの側壁に沿って別体として一体的に取り付ける構成を示したが、錠ケース本体１ａの側壁に沿って別体として一体的に取り付けることもできる。
【００３７】
さらに、ガード板３０は、実施形態１のガード板３０を実施形態３のように別体として錠ケース１に取り付けることもできるし、逆に、実施形態３〜６及び図１４で示されたガード板３０を、図１の例に倣って錠ケース１と一体とすることもできる。
前述したように、ガード板３０の形状や取付位置は適宜設計変更できるし、また１個の錠ケース１に対して、室内側及び室外側の両方に一体形成又は取り付けることもできる。
【００３８】
ガード板３０の形状として、実施形態１〜７では、略方形状の輪郭線を有するものを示したが、その輪郭線部に切欠きや膨出部等が形成されているものや、その他の形状のものでも、本発明に含まれる。
【００３９】
実施形態６において、ガード板３０の切欠き部３５は図１２では左側に形成している例を示したが、錠ケース１が取り付けられる扉の勝手に対応して、同図においてガード板３０の右側に形成することもできる。
【００４０】
各実施形態のガード板３０及び錠ケース１は、扉ａの自由端側に彫り込んだ彫込み部（切欠き部）に嵌装する、いわゆる彫込み錠に適用した場合を説明したが、錠ケースを扉の室内側の側壁に取り付ける、いわゆる面付錠にも適用することができる。
【００４１】
各実施形態では、操作部材４０、４１として、レバーハンドルを示したが、握玉その他でもよく任意である。
【００４２】
【発明の効果】
請求項１の扉錠によれば、ドリルの押圧力により傾いて、ドリルによる穿孔を不可能とするようにしたガード板を、錠ケースの周辺部に設けているから、ドリルで扉錠又は扉に穴をあけしようとしても、錠ケースは扉にフロント板部分のみがネジ止めしてあるだけなので、少なくともガード板にドリルの先端が当たって押圧されると、少なくともガード板が前記ネジ止め部を支点に傾いて揺動するため、該ガード板ひいては錠ケース又は扉がドリルによって穿孔されることがなく、サムターンをサムターン回し具で回すことができないので、防犯効果が達成できる。
【００４３】
請求項２の扉錠によれば、請求項１の効果に加え、ガード板は錠ケースに一体的に設けてあるから、ガード板を錠ケースにその構成部品の一部となるように一体に設けた場合には、錠ケースの構成部品が少なくなるとともに、ガード板の錠ケースへの組み付けも簡単にできる。また、ガード板は、錠ケースとは別体であって、該錠ケースに取り付けるようにしてある場合には、既存の扉錠の錠ケースの室内側の側面に、このガード板を取り付けるだけで、既存の錠ケースにおいても、ドリルによる不正解錠が防止できる。
【００４４】
請求項３の扉錠によれば、請求項１の効果に加え、ガード板がシリンダーやサムターンや丸座なの錠ケース以外の錠部品に設けられるので便利である。
【００４５】
請求項４の扉錠によれば、請求項１の効果に加え、ガード板は、扉に一体的に設けられるので便利である。
【００４６】
請求項４の扉錠によれば、請求項１の効果に加え、ガード板の上下左右は錠ケースの上下左右より長く平板状に形成するとともに、該ガード板の左側又は右側には端部から中央部に向けて切欠きを形成し、この切欠き部の上下両端部には水平方向に折曲部を突設し、前記両折曲部間に錠ケースを挟持するようにしてなるから、ガード板の両折曲部間に錠ケースの上下両辺部を挟持することにより、錠ケースをガード板に固定するねじが不要となるなどの利点がある。
【図面の簡単な説明】
【図１】本発明の実施の形態１の正面図である。
【図２】本発明の実施の形態１の平面図である。
【図３】本発明の実施の形態１の全体の正面図である。
【図４】図３の扉の要部を拡大して示した左側面図である。
【図５】本発明の実施の形態２の平面図である。
【図６】本発明の実施の形態３の正面図である。
【図７】本発明の実施の形態３の平面図である。
【図８】本発明の実施の形態３の左側面図である。
【図９】本発明の実施の形態４の左側面図である。
【図１０】本発明の実施の形態５のガード板の正面図である。
【図１１】本発明の実施の形態５のガード板の平面図である。
【図１２】本発明の実施の形態６の正面図である。
【図１３】本発明の実施の形態６におけるガード板の平面図である。
【図１４】本発明の実施の形態６におけるガード板の変形例の正面図である。
【図１５】本発明の実施の形態７の正面図である。
【図１６】本発明の実施の形態７の平面図である。
【図１７】従来例の扉錠を取り付けた全体の正面図である。
【図１８】図１７の扉錠の取付状態を示す一部断面図である。
【図１９】図１７の扉錠の平面図である。
【符号の説明】
１        錠ケース
４        ネジ
５        錠取付板
６        デッドボルト
７        ラッチボルト
ａ        扉
ａ５      彫込み部（切欠き部）
ｂ        枠
１０      シリンダー
２０      サムターン
３０      ガード板
３１      折曲部
３２      切欠き部
３３      ねじ止め穴
３５      切欠き部
３６      折曲部
４０      操作部材（レバーハンドル）
４１      操作部材（レバーハンドル）
４２      シリンダー及びサムターン取付穴
４４      貫通穴
５２      取付穴
５３      貫通穴
５４      貫通穴
【図１】
2004211400.tif 000003
【図２】
2004211400.tif 000004
【図３】
2004211400.tif 000005
【図４】
2004211400.tif 000006
【図５】
2004211400.tif 000007
【図６】
2004211400.tif 000008
【図７】
2004211400.tif 000009
【図８】
2004211400.tif 000010
【図９】
2004211400.tif 000011
【図１０】
2004211400.tif 000012
【図１１】
2004211400.tif 000013
【図１２】
2004211400.tif 000014
【図１３】
2004211400.tif 000015
【図１４】
2004211400.tif 000016
【図１５】
2004211400.tif 000017
【図１６】
2004211400.tif 000018
【図１７】
2004211400.tif 000019
【図１８】
2004211400.tif 000020
【図１９】
2004211400.tif 000021